(57)【要約】【課題】  トランジェント補正及びシャープネス補正の２つの輪郭強調補正を行うに際してそれぞれ適切なエッジ検出信号を用い、鮮鋭感のある輪郭強調を行う。さらに、輪郭強調度合いを抑えても鮮鋭感がなくならないようにする。【解決手段】  入力映像信号をエッジ検出回路６に入力し、該エッジ検出回路６によるエッジ成分検出結果７をトランジェント補正回路８及びシャープネス補正回路９に入力する。トランジェント補正回路８ではトランジェント補正信号１０を生成し、シャープネス補正回路９ではシャープネス補正信号１１を生成する。さらに、トランジェント補正信号１０に乗算係数α、シャープネス補正信号１１に乗算係数（１−α）を乗算し、乗算結果１７、１８を加算して出力する。【選択図】    図２
2006093844.tif 000002
【特許請求の範囲】
【請求項１】
入力映像信号におけるエッジ成分信号を検出し、該検出したエッジ成分信号を出力するエッジ検出回路と、
前記エッジ検出回路からのエッジ成分信号と、前記入力映像信号と、に基づきトランジェント補正信号を生成し、該生成したトランジェント補正信号を出力するトランジェント補正回路と、
前記エッジ検出回路により検出されたエッジ成分信号と、前記入力映像信号と、に基づきシャープネス補正信号を生成し、該生成したシャープネス補正信号を出力するシャープネス補正回路と、
前記トランジェント補正回路から出力される前記トランジェント補正信号と、前記シャープネス補正回路から出力される前記シャープネス補正信号と、を合成して出力する合成回路と、
を備えることを特徴とする輪郭強調回路。
【請求項２】
前記合成回路は、
前記トランジェント補正回路から出力される前記トランジェント補正信号に第１の乗算係数α（αは１以下の正の数）を乗算して出力する第１のゲイン回路と、
前記シャープネス補正回路から出力される前記シャープネス補正信号に第２の乗算係数（１−α）を乗算して出力する第２のゲイン回路と、
前記第１のゲイン回路からの出力信号と、第２のゲイン回路からの出力信号と、を加算して出力する加算回路と、
を備えて構成されていることを特徴とする請求項１に記載の輪郭強調回路。
【請求項３】
入力映像信号におけるエッジ成分信号を検出し、該検出したエッジ成分信号を出力するエッジ検出回路と、
前記エッジ検出回路からのエッジ成分信号に基づきトランジェント補正信号を生成し、該生成したトランジェント補正信号を出力するトランジェント補正回路と、
前記エッジ検出回路により検出されたエッジ成分信号に基づきシャープネス補正信号を生成し、該生成したシャープネス補正信号を出力するシャープネス補正回路と、
前記トランジェント補正回路から出力される前記トランジェント補正信号と、前記シャープネス補正回路から出力される前記シャープネス補正信号と、前記入力映像信号と、を合成して出力する合成回路と、
を備えることを特徴とする輪郭強調回路。
【請求項４】
前記合成回路は、
前記トランジェント補正回路から出力される前記トランジェント補正信号に第１の乗算係数α（αは１以下の正の数）を乗算して出力する第１のゲイン回路と、
前記シャープネス補正回路から出力される前記シャープネス補正信号に第２の乗算係数（１−α）を乗算して出力する第２のゲイン回路と、
前記第１のゲイン回路からの出力信号と、第２のゲイン回路からの出力信号と、前記入力映像信号と、を加算して出力する加算回路と、
を備えて構成されていることを特徴とする請求項３に記載の輪郭強調回路。
【請求項５】
請求項１乃至４の何れか一項に記載の輪郭強調回路と、
前記輪郭強調回路から出力される映像信号に基づき映像表示を行う表示部と、
を備えることを特徴とする表示装置。
【請求項６】
当該表示装置は、前記表示部として固定画素表示デバイスを備える固定画素表示装置であることを特徴とする請求項５に記載の表示装置。
【請求項７】
入力映像信号におけるエッジ成分信号を検出するエッジ検出工程と、
前記エッジ検出工程により検出されたエッジ成分信号と、前記入力映像信号と、を用いてトランジェント補正を行うトランジェント補正工程と、
前記エッジ検出工程により検出されたエッジ成分信号と、前記入力映像信号と、を用いてシャープネス補正を行うシャープネス補正工程と、
前記トランジェント補正工程により得られたトランジェント補正結果と、前記シャープネス補正工程により得られたシャープネス補正結果と、を合成して出力する合成工程と、
を備えることを特徴とする輪郭強調方法。
【請求項８】
前記合成工程では、
前記トランジェント補正工程により得られたトランジェント補正結果に第１の乗算係数α（αは１以下の正の数）を乗算した第１の乗算結果と、
前記シャープネス補正工程により得られたシャープネス補正結果に第２の乗算係数（１−α）を乗算した第２の乗算結果と、
の加算結果を出力することを特徴とする請求項７に記載の輪郭強調方法。
【請求項９】
入力映像信号におけるエッジ成分信号を検出するエッジ検出工程と、
前記エッジ検出工程により検出されたエッジ成分信号を用いてトランジェント補正を行うトランジェント補正工程と、
前記エッジ検出工程により検出されたエッジ成分信号を用いてシャープネス補正を行うシャープネス補正工程と、
前記トランジェント補正工程により得られたトランジェント補正結果と、前記シャープネス補正工程により得られたシャープネス補正結果と、前記入力映像信号と、を合成して出力する合成工程と、
を備えることを特徴とする輪郭強調方法。
【請求項１０】
前記合成工程では、
前記トランジェント補正工程により得られたトランジェント補正結果に第１の乗算係数α（αは１以下の正の数）を乗算した第１の乗算結果と、
前記シャープネス補正工程により得られたシャープネス補正結果に第２の乗算係数（１−α）を乗算した第２の乗算結果と、
前記入力映像信号と、
の加算結果を出力することを特徴とする請求項９に記載の輪郭強調方法。
【発明の詳細な説明】
【技術分野】
【０００１】
本発明は、映像の輪郭強調回路、それを備える表示装置及び輪郭強調方法に関する。
【背景技術】
【０００２】
一般的に、映像の輪郭を強調する方法として、トランジェント補正とシャープネス補正の２つがある。
【０００３】
このうちトランジェント補正は、映像のエッジ成分の傾きを急峻にすることにより輪郭強調を行う。
【０００４】
また、シャープネス補正は、映像のエッジ成分にオーバーシュートとアンダーシュートとを付加することにより輪郭強調を行う。
【０００５】
従来、輪郭強調回路は、入力映像信号を、高域通過フィルタや微分回路に入力してエッジ成分を検出し、エッジ成分に対してトランジェント補正、又はシャープネス補正を独立して行う回路構成であった。
【０００６】
なお、本発明に関連する先行技術文献としては、例えば、特許文献１、２がある。
【特許文献１】特許第３４９４８８８号
【特許文献２】特許第３５３８０７４号
【発明の開示】
【発明が解決しようとする課題】
【０００７】
従来の輪郭強調回路では、トランジェント補正とシャープネス補正との両方の補正を映像信号に対して施す場合、それぞれの補正回路が独立して存在するため、例えば、トランジェント補正を先に施し、次にシャープネス補正を施す場合では、トランジェント補正結果をシャープネス補正回路に入力するため、シャープネス補正回路によるエッジ検出の段階では、既にトランジェント補正が施された映像信号のエッジ成分を検出するため、入力映像信号に対してシャープネス補正を施した場合と比較して、鮮鋭な画像が得られないという問題があった。
【０００８】
さらに、輪郭強調の補正度合いを強めると、ノイズ成分が強調されて輪郭強調回路の出力のＳ／Ｎ比が劣化してしまうという問題もあった。
【０００９】
本発明は、上記のような問題点を解決するためになされたもので、トランジェント補正とシャープネス補正との２つの輪郭強調補正を行う場合に、鮮鋭感のある画像を得ることができ、さらに、輪郭強調度合いを抑えても鮮鋭感がなくならないようにすることが可能な輪郭強調回路、それを備える表示装置及び輪郭強調方法を提供することを目的とする。
【課題を解決するための手段】
【００１０】
上記課題を解決するため、本発明の輪郭強調回路は、入力映像信号におけるエッジ成分信号を検出し、該検出したエッジ成分信号を出力するエッジ検出回路と、前記エッジ検出回路からのエッジ成分信号と、前記入力映像信号と、に基づきトランジェント補正信号を生成し、該生成したトランジェント補正信号を出力するトランジェント補正回路と、前記エッジ検出回路により検出されたエッジ成分信号と、前記入力映像信号と、に基づきシャープネス補正信号を生成し、該生成したシャープネス補正信号を出力するシャープネス補正回路と、前記トランジェント補正回路から出力される前記トランジェント補正信号と、前記シャープネス補正回路から出力される前記シャープネス補正信号と、を合成して出力する合成回路と、を備えることを特徴としている。
【００１１】
この場合、前記合成回路は、前記トランジェント補正回路から出力される前記トランジェント補正信号に第１の乗算係数α（αは１以下の正の数）を乗算して出力する第１のゲイン回路と、前記シャープネス補正回路から出力される前記シャープネス補正信号に第２の乗算係数（１−α）を乗算して出力する第２のゲイン回路と、前記第１のゲイン回路からの出力信号と、第２のゲイン回路からの出力信号と、を加算して出力する加算回路と、を備えて構成されていることが好ましい。
【００１２】
また、本発明の輪郭強調回路は、入力映像信号におけるエッジ成分信号を検出し、該検出したエッジ成分信号を出力するエッジ検出回路と、前記エッジ検出回路からのエッジ成分信号に基づきトランジェント補正信号を生成し、該生成したトランジェント補正信号を出力するトランジェント補正回路と、前記エッジ検出回路により検出されたエッジ成分信号に基づきシャープネス補正信号を生成し、該生成したシャープネス補正信号を出力するシャープネス補正回路と、前記トランジェント補正回路から出力される前記トランジェント補正信号と、前記シャープネス補正回路から出力される前記シャープネス補正信号と、前記入力映像信号と、を合成して出力する合成回路と、を備えることを特徴としている。
【００１３】
この場合、前記合成回路は、前記トランジェント補正回路から出力される前記トランジェント補正信号に第１の乗算係数α（αは１以下の正の数）を乗算して出力する第１のゲイン回路と、前記シャープネス補正回路から出力される前記シャープネス補正信号に第２の乗算係数（１−α）を乗算して出力する第２のゲイン回路と、前記第１のゲイン回路からの出力信号と、第２のゲイン回路からの出力信号と、前記入力映像信号と、を加算して出力する加算回路と、を備えて構成されていることが好ましい。
【００１４】
本発明の表示装置は、本発明の輪郭強調回路と、前記輪郭強調回路から出力される映像信号に基づき映像表示を行う表示部と、を備えることを特徴としている。
【００１５】
本発明の表示装置は、例えば、前記表示部として固定画素表示デバイスを備える固定画素表示装置であるを好ましい一例としている。このような固定画素表示装置の具体例としては、例えば、固定画素表示デバイスとしてプラズマディスプレイパネルを備えるプラズマ表示装置や、固定画素表示デバイスとして液晶表示パネルを備える液晶表示装置などが挙げられる。
【００１６】
また、本発明の輪郭強調方法は、入力映像信号におけるエッジ成分信号を検出するエッジ検出工程と、前記エッジ検出工程により検出されたエッジ成分信号と、前記入力映像信号と、を用いてトランジェント補正を行うトランジェント補正工程と、前記エッジ検出工程により検出されたエッジ成分信号と、前記入力映像信号と、を用いてシャープネス補正を行うシャープネス補正工程と、前記トランジェント補正工程により得られたトランジェント補正結果と、前記シャープネス補正工程により得られたシャープネス補正結果と、を合成して出力する合成工程と、を備えることを特徴としている。
【００１７】
前記合成工程では、前記トランジェント補正工程により得られたトランジェント補正結果に第１の乗算係数α（αは１以下の正の数）を乗算した第１の乗算結果と、前記シャープネス補正工程により得られたシャープネス補正結果に第２の乗算係数（１−α）を乗算した第２の乗算結果と、の加算結果を出力することが好ましい。
【００１８】
また、本発明の輪郭強調方法は、入力映像信号におけるエッジ成分信号を検出するエッジ検出工程と、前記エッジ検出工程により検出されたエッジ成分信号を用いてトランジェント補正を行うトランジェント補正工程と、前記エッジ検出工程により検出されたエッジ成分信号を用いてシャープネス補正を行うシャープネス補正工程と、前記トランジェント補正工程により得られたトランジェント補正結果と、前記シャープネス補正工程により得られたシャープネス補正結果と、前記入力映像信号と、を合成して出力する合成工程と、を備えることを特徴としている。
【００１９】
前記合成工程では、前記トランジェント補正工程により得られたトランジェント補正結果に第１の乗算係数α（αは１以下の正の数）を乗算した第１の乗算結果と、前記シャープネス補正工程により得られたシャープネス補正結果に第２の乗算係数（１−α）を乗算した第２の乗算結果と、前記入力映像信号と、の加算結果を出力することが好ましい。
【発明の効果】
【００２０】
本発明によれば、入力映像信号におけるエッジ成分信号を検出し、その検出結果に対し、それぞれトランジェント補正とシャープネス補正とを施すので、トランジェント補正とシャープネス補正とは、それぞれ輪郭強調が施されていないエッジ成分信号を用いて行うことができるので、映像の鮮鋭感が損なわれることがない。
【００２１】
また、トランジェント補正結果とシャープネス補正結果とを合成して出力するので、出力される輪郭強調映像信号は、シャープネス補正とトランジェント補正との２つの補正が施された映像信号とすることができる。
【００２２】
更に、トランジェント補正回路とシャープネス補正回路とで１つのエッジ検出回路を共有しており、従来の、トランジェント補正回路とシャープネス補正回路とが独立して存在しエッジ検出回路を各々備えている場合と比較して、回路規模を小さくすることができる。
【００２３】
ここで、図１において、波形１は従来のシャープネス補正を施した場合における波形、波形２は従来のトランジェント補正を施した場合における波形、波形３ａ、３ｂは、シャープネス補正を施した場合に、入力映像信号に対する輪郭強調補正度合いを変化させる場合において、エッジのオーバーシュート及びアンダーシュートの大きさを小さくした場合におけるオーバーシュート及びアンダーシュートの波形、波形４は本発明による波形である。図１に示すように、従来のオーバーシュート及びアンダーシュートの大きさを小さくさせる場合の波形（オーバーシュートは波形３ａ、アンダーシュートは波形３ｂ、それらの中間部分は波形１）と本発明の波形４とを比較すると、本発明では、シャープネス補正結果とトランジェント補正結果とを合成して出力しているので、オーバーシュートとアンダーシュートは、トランジェント補正との混合により波形１よりは小さくなるが、エッジの傾きがトランジェント補正との混合により急峻になる。従って、本発明によれば、オーバーシュートと、アンダーシュートを小さくしても映像の鮮鋭感が失われることがない。
【００２４】
また、トランジェント補正結果にα（αは１以下の正の数）を乗算し、シャープネス補正結果に（１−α）を乗算し、トランジェント補正結果の乗算結果と、シャープネス補正結果の乗算結果とを加算して出力するようにした場合、αの値を変化させることにより、シャープネス補正とトランジェント補正の混合比率を任意に変化させることができる。
【発明を実施するための最良の形態】
【００２５】
以下、図面を参照して、本発明に係る実施形態について説明する。
【００２６】
〔第１の実施形態〕
図２は本発明の第１の実施形態に係る輪郭強調回路１００を示すブロック図であり、図３は輪郭強調回路１００の動作を説明するためのフローチャートである。
【００２７】
図２に示すように、本実施形態に係る輪郭強調回路１００は、映像信号が入力される映像信号入力端子５と、入力される映像信号（以下、入力映像信号）におけるエッジ成分信号を検出するエッジ検出回路６と、入力映像信号に対してトランジェント補正を施すトランジェント補正回路８と、入力映像信号に対してシャープネス補正を施すシャープネス補正回路９と、これらトランジェント補正回路８及びシャープネス補正回路９から出力された信号を合成して出力する合成回路１２と、この合成回路１２から出力された信号を外部出力する輪郭強調映像信号出力端子２０と、を備えて構成されている。
【００２８】
このうち映像信号入力端子５には、Ａ／Ｄ変換された映像信号が入力され（ステップＳ１）、該入力映像信号は、エッジ検出回路６、トランジェント補正回路８及びシャープネス補正回路９にそれぞれ入力される。
【００２９】
このうちエッジ検出回路６は、映像信号入力端子５からの入力映像信号に基づき、映像信号のエッジ成分７を検出する（ステップＳ２）。
【００３０】
エッジ検出回路６により検出されたエッジ成分７は、トランジェント補正回路８及びシャープネス補正回路９にそれぞれ入力される。
【００３１】
また、トランジェント補正回路８及びシャープネス補正回路９には、それぞれ映像信号入力端子５からの入力映像信号も入力される。
【００３２】
トランジェント補正回路８では、エッジ検出回路６からのエッジ成分７に基づきトランジェント補正信号１０の元となるトランジェント補正原信号を生成し、更に、この生成したトランジェント補正原信号と入力映像信号とを合成することによりトランジェント補正信号１０を生成し、該トランジェント補正信号１０を合成回路１２に対して出力する（ステップＳ４）。
【００３３】
他方、シャープネス補正回路９では、エッジ検出回路６からのエッジ成分７に基づきシャープネス補正信号１１の元となるシャープネス補正原信号を生成し、更に、この生成したシャープネス補正原信号と入力映像信号とを合成することによりシャープネス補正信号１１を生成し、該シャープネス補正信号１１を合成回路１２に対して出力する（ステップＳ３）。
【００３４】
ここで、シャープネス補正原信号は、シャープネス補正信号１１におけるオーバーシュートとアンダーシュートである。
【００３５】
合成回路１２は、図２に示すように、乗算係数入力端子１３，１４、乗算器１５，１６及び加算器１９を備えて構成されている。
【００３６】
このうち乗算係数入力端子１３からは第１の乗算係数が、乗算係数入力端子１４からは第２の乗算係数が、それぞれ入力される。
【００３７】
ここで、第１及び第２の乗算係数の総和は１である。つまり、第１の乗算係数をα（０≦α≦１）とすると、第２の乗算係数は（１−α）で表される。
【００３８】
また、乗算器１５では、入力端子１３からの乗算係数αを、トランジェント補正回路８からのトランジェント補正信号１０に乗算し、該乗算後のトランジェント補正信号１７を加算器１９に出力する（ステップＳ５）。
【００３９】
他方、乗算器１６では、入力端子１５からの乗算係数（１−α）を、シャープネス補正回路９からのシャープネス補正信号１１に乗算し、該乗算後のシャープネス補正信号１８を加算器１９に出力する（ステップＳ６）。
【００４０】
加算器１９では、乗算器１５からの信号、すなわち第１の乗算係数αが乗算されたトランジェント補正信号１７と、乗算器１６からの信号、すなわち第２の乗算係数（１−α）が乗算されたシャープネス補正信号１８と、を加算し、該加算後の映像信号（輪郭強調映像信号）を、輪郭強調映像信号出力端子２０を介して輪郭強調回路１００の外部に出力する（ステップＳ７）。
【００４１】
以上のような第１の実施形態によれば、以下のような効果が得られる。
【００４２】
（１）本実施形態に係る輪郭強調回路１００では、入力映像信号がエッジ検出回路に入力され、エッジ検出回路から出力されるエッジ検出信号が、トランジェント補正回路とシャープネス補正回路に入力される。従って、トランジェント補正回路とシャープネス補正回路に入力されるエッジ検出信号は、輪郭強調の補正が施されていないオリジナルの映像信号から検出されたものとなり、映像の鮮鋭感が失われない。
【００４３】
（２）トランジェント補正回路とシャープネス補正回路で、一つのエッジ検出回路を共有しており、従来の、トランジェント補正回路と、シャープネス補正回路が独立して存在し、エッジ検出回路を各々備えている場合と比較して、回路規模を小さくすることができる。
【００４４】
（３）図１において、波形１は従来のシャープネス補正を施した場合における波形、波形２は従来のトランジェント補正を施した場合における波形、波形３ａ、３ｂは、シャープネス補正を施した場合に、入力映像信号に対する輪郭強調補正度合いを変化させる場合において、エッジのオーバーシュート及びアンダーシュートの大きさを小さくした場合におけるオーバーシュート及びアンダーシュートの波形、波形４は本実施形態に係る輪郭強調回路１００による補正を行うことにより得られる波形である。図１に示すように、従来のオーバーシュート及びアンダーシュートの大きさを小さくさせる場合の波形（オーバーシュートは波形３ａ、アンダーシュートは波形３ｂ、それらの中間部分は波形１）と本実施形態の場合の波形４とを比較すると、本実施形態では、シャープネス補正結果とトランジェント補正結果とを合成して出力しているので、オーバーシュートとアンダーシュートは、トランジェント補正との混合により波形１よりは小さくなるが、エッジの傾きがトランジェント補正との混合により急峻になる。従って、本実施形態の場合、オーバーシュートと、アンダーシュートを小さくしても映像の鮮鋭感が失われることがない。
【００４５】
（４）トランジェント補正結果にα（αは１以下の正の数）を乗算し、シャープネス補正結果に（１−α）を乗算し、トランジェント補正結果の乗算結果と、シャープネス補正結果の乗算結果とを加算して出力するので、αの値を変化させることにより、シャープネス補正とトランジェント補正の混合比率を任意に変化させることができる。
【００４６】
〔第２の実施形態〕
第２の実施形態では、第１の実施形態で説明した輪郭強調回路１００の動作において、シャープネス補正のみを行うかトランジェント補正のみを行うかを判定する処理を追加して行うことにより、映像信号に対してシャープネス補正又はトランジェント補正のうちの何れか一方を行う例について説明する。
【００４７】
すなわち、図２のトランジェント補正信号１０に対する乗算係数αの値を「１」に設定し、シャープネス補正信号１１に対する乗算係数（α−１）の値を「０」に設定することにより、シャープネス補正側の乗算器１６でシャープネス補正信号１１が除かれる結果、輪郭強調映像信号出力端子２０からトランジェント補正信号１０が出力されるので、図２の回路をトランジェント補正回路として動作させることができる。
【００４８】
また、図２の回路において、シャープネス補正信号１１に対する乗算係数（α−１）の値を「１」に設定し、トランジェント補正信号１０に対する乗算係数αを「０」に設定することにより、トランジェント補正側の乗算器１５でトランジェント補正信号１０が除かれる結果、輪郭強調映像信号出力端子２０からシャープネス補正信号１１が出力されるので、図２の回路をシャープネス補正回路として動作させることができる。
【００４９】
図４は第２の実施形態の場合の動作を説明するためのフローチャートである。
【００５０】
図４に示すように、ステップＳ１〜Ｓ４を上記の第１の実施形態と同様に行った後で、シャープネス補正のみを行うのか否かを判定する（ステップＳ８）。
【００５１】
なお、シャープネス補正のみを行うか、又はトランジェント補正のみを行うかは、例えば、ユーザの設定操作により決定されることが挙げられるが、入力映像信号に応じて何れの補正を行うのかを決定するようにしても良い。
【００５２】
ステップＳ８では、シャープネス補正のみを行うのか否かを判定する。シャープネス補正のみを行うと判定された場合（ステップＳ８のＹＥＳ）、ステップＳ１０及びステップＳ１１に移行し、ステップＳ１０では乗算器１６がシャープネス補正信号１１に係数「１」を乗算する一方で、ステップＳ１１では乗算器１５がトランジェント補正信号１０に係数「０」を乗算する。続くステップＳ７では、加算器１９が乗算器１５，１６による乗算後の２つの信号を加算して、輪郭強調出力映像信号として出力する。つまり、ステップＳ１１によりトランジェント補正信号１０は除かれるので、ステップＳ７では、シャープネス補正信号１１を輪郭強調出力映像信号として出力することとなり、図２の回路はシャープネス補正回路として機能する。
【００５３】
他方、ステップＳ８にて、トランジェント補正のみを行うと判定された場合（ステップＳ８のＮＯ）、ステップＳ９に移行し、トランジェント補正のみを行うのか否かを判定する。トランジェント補正のみを行うと判定された場合（ステップＳ９のＹＥＳ）、ステップＳ１２及びステップＳ１３に移行し、ステップＳ１２では乗算器１５がトランジェント補正信号１０に係数「１」を乗算する一方で、ステップＳ１３では乗算器１６がシャープネス補正信号１１に係数「０」を乗算する。続くステップＳ７では、加算器１９が乗算器１５，１６による乗算後の２つの信号を加算して、輪郭強調出力映像信号として出力する。つまり、ステップＳ１３によりシャープネス補正信号１１は除かれるので、ステップＳ７では、トランジェント補正信号１０を輪郭強調出力映像信号として出力することとなり、図２の回路はトランジェント補正回路として機能する。
【００５４】
以上のような第２の実施形態によれば、第１の実施形態で説明した輪郭強調回路１００をシャープネス補正回路又はトランジェント補正回路として動作させることができる。
【００５５】
〔第３の実施形態〕
第３の実施形態では、トランジェント補正回路８が、トランジェント補正信号１０の代わりに、トランジェント補正信号１０と入力映像信号との差分信号であるトランジェント補正原信号を出力する一方で、シャープネス補正回路９が、シャープネス補正信号１１の代わりに、シャープネス補正成分であるシャープネス補正原信号、すなわちオーバーシュート信号及びアンダーシュート信号を出力する例について説明する。
【００５６】
図５は、第３の実施形態の場合における輪郭強調回路の回路構成の一例を示すブロック図である。
【００５７】
図５に示すように、第３の実施形態に係る輪郭強調回路２００は、入力端子５からの入力映像信号と、加算器１９からの信号と、が入力される加算器２１を合成回路１２が更に備える点でのみ上記の第１の実施形態で説明した輪郭強調回路１００と異なり、その他の点では輪郭強調回路１００と同様に構成されているため、同様の構成要素には同一の符号を付し、その説明を省略する。
【００５８】
図６は、第３の実施形態の場合の動作を説明するためのフローチャートである。
【００５９】
第３の実施形態の場合、図６に示すように、先ず、ステップＳ１〜Ｓ４を上記第１の実施形態と同様に行う。
【００６０】
ステップＳ３に続いては、シャープネス補正回路９から、シャープネス補正信号１１のうちのシャープネス補正成分、すなわちオーバーシュート信号及びアンダーシュート信号のみを乗算器１６に出力する（ステップＳ１４）。
【００６１】
ステップＳ１４に続いては、乗算器１６にて、オーバーシュート信号及びアンダーシュート信号に対してそれぞれ乗算係数（１−α）を乗算し、該乗算後の信号を加算器１９に出力する（ステップＳ１６）。
【００６２】
他方、ステップＳ４に続いては、トランジェント補正回路８から、トランジェント補正信号１０のうち、該トランジェント補正信号１０と入力映像信号との差分信号のみを乗算器１５に出力する（ステップＳ１５）。
【００６３】
ステップＳ１５に続いては、乗算器１５にて、トランジェント補正信号１０と入力映像信号との差分信号に対して乗算係数αを乗算し、該乗算後の信号を加算器１９に出力する（ステップＳ１７）。
【００６４】
次に、加算器１９では、乗算器１５，１６による乗算後の２つの信号を加算し、該加算後の信号を加算器２１に出力する（ステップＳ１８）。
【００６５】
次に、加算器２１では、加算器１９からの信号と入力映像信号とを加算し、該加算後の信号（輪郭強調映像信号）を、輪郭強調映像信号出力端子２０を介して輪郭強調回路１００の外部に出力する（ステップＳ１９）。
【００６６】
以上のような第３の実施形態によれば、上記の第１の実施形態又は第２の実施形態と同様の効果が得られる。
【００６７】
なお、上記の各実施形態で説明した輪郭強調回路１００、２００は、例えば、表示部としてプラズマディスプレイパネルを備えるプラズマ表示装置に適用することができるが、表示部として液晶表示パネルを備える液晶表示装置、或いは、その他の表示装置にも同様に適用することができる。
【図面の簡単な説明】
【００６８】
【図１】本発明の輪郭強調と従来の輪郭強調とを比較した映像信号の波形を示す図である。
【図２】第１の実施形態に係る輪郭強調回路の構成を示すブロック図である。
【図３】第１の実施形態の動作を示すフローチャートである。
【図４】第２の実施形態の動作を示すフローチャートである。
【図５】第３の実施形態に係る輪郭強調回路の構成を示すブロック図である。
【図６】第３の実施形態の動作を示すフローチャートである。
【符号の説明】
【００６９】
１  従来のシャープネス補正によるエッジ部分の波形
２  従来のトランジェント補正によるエッジ部分の波形
３ａ、３ｂ  従来のシャープネス補正の補正量を弱めた（オーバーシュート・アンダーシュートを弱めた）エッジ部分の波形
４  本発明による出力波形（シャープネス補正とトランジェント補正を混合したエッジ部分の波形）
５  映像信号入力端子
６  エッジ検出回路
７  エッジ成分
８  トランジェント補正回路
９  シャープネス補正回路
１０  トランジェント補正信号
１１  シャープネス補正信号
１２  合成回路
１３  乗算係数入力端子
１４  乗算係数入力端子
１５  乗算器
１６  乗算器
１７  乗算係数が乗算されたトランジェント補正信号
１８  乗算係数が乗算されたシャープネス補正信号
１９  加算器
２０  輪郭強調映像信号出力端子
【図１】
2006093844.tif 000003
【図２】
2006093844.tif 000004
【図３】
2006093844.tif 000005
【図４】
2006093844.tif 000006
【図５】
2006093844.tif 000007
【図６】
2006093844.tif 000008